(57)【要約】      （修正有）【課題】従来のジャバラ式収集帳の一つである朱印帳は時系列のみの記録帳である。また、朱印帳とし使用する場合は、神社仏閣でいただくご朱印は破け易く、皴になるので扱い難く持ち歩くときかさばる。時系列収集のみでなく自由な発想で収集が可能な自分好みのジャバラ式収集帳を提供する。【解決手段】おもて表紙２とうら表紙３と２枚重ねの内紙４ａをパーツとしてなるジャバラ式収集帳であって、パーツとしてのおもて表紙２、うら表紙３、２枚重ねの内紙４ａに連結手段Ｒを備えていることを特徴とするジャバラ式収集帳によって解決した。【選択図】図７
0003195503.tif 000002
【実用新案登録請求の範囲】
【請求項１】
おもて表紙(２)とうら表紙(３)と２枚重ねの内紙(４)をパーツ(Ｐ)としてなるジャバラ式収集帳(１)であって、前記パーツ(Ｐ)としてのおもて表紙(２)、うら表紙(３)、２枚重ねの内紙(４)に連結手段(Ｒ)を備えていることを特徴とするジャバラ式収集帳。
【請求項２】
前記おもて表紙(２)に連結手段(Ｒ)が設けられており、該連結手段(Ｒ)はおもて表紙(２)の裏面端部にタテ方向に設けられた２重構造ののり代部(Ａ２)であって、該２重構造ののり代部(Ａ２)は互いに開口しあう、挟み込み部(Ｈ)を構成し、前記２重構造ののり代部(Ａ２)のいずれかの片面に接着手段(Ｃ)が設けられており、前記うら表紙(３)に連結手段(Ｒ)が設けられており、該連結手段(Ｒ)はうら表紙(３)の裏面端部のタテ方向に設けられた突出部(Ｔ)であって、該突出部(Ｔ)の表裏面のいずれかの片面に接着手段(Ｃ)が設けられており、前記２枚重ねの内紙(４)に連結手段(Ｒ)が設けられており、該２枚重ねの内紙(４)は内紙(４ａ)のヨコ方向に所定の距離だけズラして左右タテ方向に２つの、のり代部(Ａ１)を設け、前記左右２つの、のり代部(Ａ１)の間に袋綴じ部(４ｂ)が設けられ、その内部にスペース(Ｓ)を備え、左右２つの、のり代(Ａ１)のいずれかの片面に接着手段(Ｃ)が設けられていることを特徴とする請求項１に記載のジャバラ式収集帳。                                                                                        
【請求項３】
前記ジャバラ式収集帳(１)は、おもて表紙(２)と、うら表紙(３)と、２枚重ねの内紙(４)の各パーツ(Ｐ)に連結手段(Ｒ)が設けられており、２枚重ねの内紙(４)及びうら表紙(３)の、のり代部(Ａ１)に設けられた接着手段(Ｃ)のタテ方向の端部に折目(Ｄ)が設けられており、前期内紙(４ａ)の、のり代部(Ａ１)表面で他方の内紙(４ａ)の、のり代部(Ａ１)によって隠ぺいされる所定の箇所に表示部(Ｊ)が設けられていることを特徴とする請求項１又は請求項２に記載のジャバラ式収集帳。
【請求項４】
前記所定の箇所がのり代部(Ａ１)に設けられた両面テープ(Ｍ)の端部であることを特徴とする請求項３に記載のジャバラ式収集帳。
【請求項５】
前記ジャバラ式収集帳(１)が朱印帳であることを特徴とする請求項１〜３のいずれかに記載のジャバラ式収集帳。
【請求項６】
前記ジャバラ式収集帳(１)が写真帳であることを特徴とする請求項１〜３のいずれかに記載のジャバラ式収集帳。
【請求項７】
前記ジャバラ式収集帳(１)が記録帳であることを特徴とする請求項１〜３のいずれかに記載のジャバラ式収集帳。
【考案の詳細な説明】
【技術分野】
【０００１】
本考案は各パーツをバラバラにし再度貼り合わせることによりジャバラ折のジャバラ式収集帳に復活する携帯に便利なジャバラ式収集帳に関するものである。
【背景技術】
【０００２】
従来のジャバラ式収集帳の一つである朱印帳は、神社佛閣の参拝の際いただくご朱印などであつて時系列の収集のみであった。その他樹脂フイルムを設けた収集帳に関する記載がある。朱印帳は持ち歩く際は重くかさばるので扱いにくい。時系列の収集のみでなく用途別など自分好みに作製できるものがなかった。
従来の朱印帳は神社佛閣、通信販売などで販売されている。朱印帳はおもて表紙とうら表紙との間に２枚重ねの内紙をつづり、ジャバラ折りにした收集帳であって時系列に収集をするものが主流であった（例えば特許文献１参照）。
【先行技術文献】
【特許文献】
【０００３】
【特許文献１】実用新案登録第２５０６５９５号公報
【考案の概要】
【考案が解決しようとする課題】
【０００４】
従来の朱印帳はジャバラ折形式、ノート形式のものなどがあり、神社仏閣、通信販売などで販売されている。ご朱印をいただくときは、神社仏閣に供えてある薄紙一枚のご朱印か、持参の朱印帳にいただくかのどちらかである。薄紙１枚のものは皴になり、破け易い。朱印帳はショルダーバッグなどで持ち歩く際には重くかさばるのであつかいにくい、また、従来収集した朱印などは時系列のみの収集であった。本願考案のジャバラ式収集帳は、右開き、左開きの左右勝手が自在であり、ジャバラをいっぱいに広げると屏風のように全面目視可能となり、資料、写真などをポケットとしての収納スペースに収納可能で、しかも、２枚重ねの内紙のおもて面とうら面の両面使用可能で、しかも収集したものの順番を入れかえて自分の好み、テーマごとに収集することが容易なジャバラ方式の収集帳を提供することを目的とする。
【課題を解決するための手段】
【０００５】
第１の考案のジャバラ式収集帳(１)は、おもて表紙(２)と、うら表紙(３)と、２枚重ねの内紙(４)のパーツ(Ｐ)からなるジャバラ式収集帳(１)であって、前記パーツ(Ｐ)としてのおもて表紙(２)、うら表紙(３)、２枚重ねの内紙(４)に連結手段(Ｒ)を備えていることを特徴とする。
係る構成によれば、各パーツ(Ｐ)を用いてそれらの組み立て方を工夫することで内紙(４ａ)の順番を自由に決めることが可能で、しかも右開き、左開きの左右勝手が自在であり、ジャバラをいっぱいに広げると屏風のように全面目視可能となり、資料、写真などをポケットとしての収納スペースに収納可能で、しかも、２枚重ねの内紙のおもて面とうら面の両面使用可能で、しかも収集したものの順番を入れかえて、自分の好み、テーマごとに収集することが容易なジャバラ方式の収集帳を作製することができ、各パーツ(Ｐ)の連結に連結手段(Ｒ)が役立っている。各パーツ(Ｐ)として、おもて表紙(２)と、うら表紙(３)と、２枚重ねの内紙(４)の連結に連結手段(Ｒ)が役立ち、効果を上げ、利用範囲が広がり、持ち歩くのに容易になるという効果がある。
【０００６】
第２の考案のジャバラ式収集帳(１)は、請求項１に記載のジャバラ式収集帳において、おもて表紙(２)に連結手段(Ｒ)が設けられており、該連結手段(Ｒ)はおもて表紙(２)裏面端部にタテ方向に設けられた２重構造ののり代部(Ａ２)であって、該２重構造ののり代部(Ａ２)は互いに開口しあう、挟み込み部(Ｈ)を構成し前記２重構造ののり代部(Ａ２)の少なくとも片方に接着手段(Ｃ)が設けられており、うら表紙(３)にも連結手段(Ｒ)が設けられており、該連結手段(Ｒ)はうら表紙(３)の、裏面端部タテ方向に設けられた突出部(Ｔ)であつて、該突出部(Ｔ)の表裏面の少なくとも片方に接着手段(Ｃ)が設けられており、２枚重ねの内紙(４)に連結手段(Ｒ)が設けられており、該２枚重ねの内紙(４)は内紙(４ａ)ヨコ方向に所定の距離だけズラシて左右タテ方向にのり代部(Ａ１)を設け、前記左右２つの、のり代部(Ａ１)の間に袋綴じのり付け部(４ｃ)を設け、のり付けすることにより袋綴じ部(４ｂ)が設けられ、その内部にスペース(Ｓ)を備え、左右２つの、のり代部(Ａ１)の少なくとも片方に接着手段(Ｃ)が設けられていることを特徴とする。
係る構成によれば、おもて表紙(２)と、うら表紙(３)と、２枚重ねの内紙(４)の連結に連結手段(Ｒ)が役立つており、また、２枚重ねの内紙(４)の袋綴じ部(４ａ)にスペース(Ｓ)があることにより、資料、写真などをポケットとしての収納スペース(Ｓ)に収納可能で、しかも自由な発想使用に役立ち、右開き、左開きの左右勝手が自在であり、ジャバラをいっぱいに広げると屏風のように全面目視可能となり、２枚重ねの内紙(４)のおもて面とうら面の両面使用可能で、しかも収集したものの順番を入れかえて、自分の好み、テーマごとに収集することが容易なジャバラ方式の収集帳(１)とすることができるという効果がある。
【０００７】
第３の考案のジャバラ収集帳(１)は、請求項１又は２に記載のジャバラ式収集帳において、各パーツに連結手段(Ｒ)が設けられており、２枚重ねの内紙(４)及びうら表紙(３)の、のり代部(Ａ１)に設けられた接着手段(Ｃ)のタテ方向の端部に折目(Ｄ)が設けられており、前記内紙(４ａ)の、のり代部(Ａ1)表面で片方の内紙(４ａ)の、のり代部(Ａ1)によって隠ぺいされる所定の箇所に表示部(Ｊ)が設けられていることを特徴とする。
係る構成によれば、折目(Ｄ)を設けジャバラ折り(Ｊａ)にするのに効果があり、表示部(Ｊ)が設けられていることで２枚重ねの内紙(４)の組立て、すなわちジャバラ式収集帳(１)の組み立てに役立っている。                                                    
【０００８】
第４の考案のジャバラ式収集帳(１)は、請求項３に記載のジャバラ式収集帳において、前記所定の箇所がのり代部(Ａ１)に設けられた両面テープ(Ｍ)の箇所であることを特徴とする。
係る構成によれば、のり代部(Ａ１)の貼り合わせにより表示部(Ｊ)が隠ぺいされるのに役立っている。  
【０００９】
第５の考案のジャバラ式収集帳(１)は、請求項１〜３のいずれか一項に記載のジャバラ式収集帳において、前記ジャバラ式収集帳(１)が朱印帳であることを特徴とする。
係る構成によれば、ご朱印を押印した内紙(４ａ)を自分の好きなように順番を入れかえて、各パーツ(Ｐ)を連結手段(Ｒ)で連結し、自分好みの朱印帳とし利用するのに役立っている。  
【００１０】
第６の考案のジャバラ式収集帳(１)は、請求項１〜３のいずれか一項に記載のジャバラ式収集帳において、前記ジャバラ式収集帳(１)が写真帳であることを特徴とする。
係る構成によれば、自分で収集したさまざまな写真を内紙(４ａ)に貼り付けるか、又は２枚重ねの内紙(４)によって形成されたスペース(Ｓ)に収納し、あとで自分の好きなように内紙(４ａ)に貼り付け、自分の好きなように順番を入れかえて、各パーツ(Ｐ)を連結手段(Ｒ)で連結し、自分好みの写真帳とし利用するのに役立っている。
【００１１】
第７の考案のジャバラ式収集帳(１)は、請求項１〜３のいずれか一項に記載のジャバラ式収集帳において、前記ジャバラ式収集帳(１)が記録帳であることを特徴とする。
係る構成によれば、自分で収集したさまざまな新聞雑誌の切り抜きや、その他の記録、資料を内紙(４a)に貼り付けるか、又は前記スペース(Ｓ)に収納し、自分の好きなように内紙(４ａ)に貼り付け、あとで自分の好きなように順番を入れかえて、各パーツ(Ｐ)を連結手段(Ｒ)で連結し、自分好みの記録帳とし利用するのに役立っている。
【考案の効果】
【００１２】
第１の考案によれば、各パーツ(Ｐ)に用いてそれらの組み立て方を工夫することで内紙(４ａ)順番を自由に決めることが可能で、しかも右開き、左開きが自在に可能となり、ジャバラをいっぱいに広げると屏風のように全面目視可能となり、資料、写真などポケットとしての収納スペースに収納可能で、また２枚重ねの内紙(４)のおもて面とうら面の両面使用可能で、しかも収集したものの順番を入れかえて、自分好みのジャバラ式収集帳を作製することができ、利用範囲が広がり、持ち歩きが容易になり、各パーツ(Ｐ)の連結に連結手段(Ｒ)が役立っている。各パーツ(Ｐ)としておもて表紙(２)とうら表紙(３)と２枚重ねの内紙(４)の連結に連結手段(Ｒ)が役立ち効果を上げ、利用範囲が広がり、持ち歩くのに容易になるという効果がある。
【００１３】
第２の考案によれば、おもて表紙(２)とうら表紙(３)と２枚重ねの内紙(４)の連結に連結手段(Ｒ)が役立っており、しかも右開き、左開きが自在に可能となり、ジャバラをいっぱいに広げると屏風のように全面目視可能となり、２枚重ねの内紙(４)の袋綴じ部(４ｂ)にスペース(Ｓ)があることにより両面が利用可能になり、写真や、新聞雑誌の切り抜き、その他の収集資料などポケットとしての収納スペースに収納可能となり、自由な発想使用に役立ち、しかも収集したものの順番を入れかえて、自分好みのジャバラ式収集帳を作製することができるという効果がある。
【００１４】
第３の考案によれば、折目(Ｄ)を設けジャバラ折り(Ｊａ)にするのに効果がある。表示部(Ｊ)が設けられていることで２枚重ねの内紙(４)が組立しやすく、すなわちジャバラ式収集帳(１)の組み立てに役立つという効果がある。
【００１５】
第４の考案によれば、のり代部(Ａ１)の貼り合わせにより表示部(Ｊ)が隠ぺいされるのに役立っており、ジャバラ式収集帳(１)として利用効果を上げている。
【００１６】
第５の考案によれば、ご朱印を押印した内紙(４ａ)を自分の好きなように順番を入れかえて各パーツ(Ｐ)を連結手段(Ｒ)で連結し、自分好みの朱印帳とし利用するのに役立っている。  
【００１７】
第６の考案によれば、自分で収集したさまざまな写真を内紙(４ａ)に貼り付けるか、又は２枚重ねの内紙(４)によって形成されたスペース(Ｓ)に収納し、あとで自分の好きなように内紙(４ａ)に貼り付け、自分の好きなように順番を入れかえて、各パーツ(Ｐ)を連結手段(Ｒ)で連結し、自分好みの写真帳とし利用するのに役立っている。
【００１８】
第７の考案よれば、自分で収集したさまざまな新聞雑誌の切り抜きや、その他の記録や資料を内紙(４ａ)に貼り付けるか、又は前記スペース(Ｓ)に収納し、自分の好きなように内紙(４ａ)に貼り付け、あとで自分の好きなように順番を入れかえて、各パーツ(Ｐ)を連結手段(Ｒ)で連結し、自分好みの記録帳とし利用するのに役立っている。
【図面の簡単な説明】
【００１９】
【図１】図１はジャバラ式収集帳の完成斜視図である。
【図２】図２はおもて表紙を示す６面図である。    (ａ)は正面図である。    (ｂ)は平面図である。    (ｃ)は右側面図である。    (ｄ)は左側面図である。    (ｅ)は底面図である。    (ｆ)は背面図である。
【図３】図３はうら表紙を示す６面図である。    (ａ)は正面図である。    (ｂ)は平面図である。    (ｃ)は右側面図である。    (ｄ)は左側面図である。    (ｅ)は底面図である。    (ｆ)は背面図である。
【図４】図４は２枚重ねの内紙を示す６面図である。      (ａ)は正面図である。    (ｂ)は平面図である。    (ｃ)は右側面図である。    (ｄ)は左側面図である。    (ｅ)は底面図である。    (ｆ)は背面図である。
【図５】図５はおもて表紙、うら表紙、２枚重ねの内紙の拡大平面図である。      (ａ)はおもて表紙の平面図である。    (ｂ)はうら表紙の平面図である。    (ｃ)は２枚重ねの内紙の平面図である。
【図６】図６は各パーツの連結する前の状態を示す説明図である。
【図７】図７は各パーツを連結した完成図である
【考案を実施するための形態】
【００２０】
本考案のジャバラ式収集帳(１)の詳細を以下図面に従って詳しく述べる。本考案のジャバラ式収集帳(１)の詳細を１例として朱印帳で説明するが写真帳や記録帳、その他収集帳などにも適用できるものである。図１に示すように本考案のジャバラ式収集帳(１)は、おもて表紙(２)と、うら表紙(３)と、２枚重ねの内紙(４)をパーツ(Ｐ)としてなるジャバラ式収集帳(１)であって、前記パーツ(Ｐ)としておもて表紙(２)とうら表紙(３)と２枚重ねの内紙(４)と連結手段(Ｒ)を備えていることを特徴とするジャバラ式収集帳(１)である。  
【００２１】
本考案の詳細を以下図面に従って詳しく述べる。図２に示すように前記記載のおもて表紙(２)の表面には表装を施し、裏面にはおもて表紙うら紙(２ａ)を貼り合わせ表裏一体にする、おもて表紙うら紙(２a)に表装を施すのも可能である、該おもて表紙うら紙(２ａ)はおもて表紙(２)と同寸の和紙を使用する、まず、おもて表紙(２)裏面端部にタテ方向に設けられた２重構造ののり代部(Ａ２)であって、該２重構造ののり代部(Ａ２)は互いに開口しあう、挟み込み部(Ｈ)を構成し、前記２重構造ののり代部(Ａ２)のいずれかの片面接着手段(Ｃ)が設けられ連結手段(Ｒ)とするおもて表紙(２)である。上記記載の２重構造ののり代部(Ａ２)はおもて表紙(２)の挟み込み部(Ｈ)の内面どうしに設けられている。その個所には接着手段(Ｃ)である両面テープ(Ｍ)とそれに貼り合わせるのり代面との両方があり、その両方をもって２重構造ののり代部(Ａ２)とする。                            
【００２２】
本考案の詳細を以下図面に従って詳しく述べる。図３に示すように前記記載のうら表紙(３)の表面には表装を施し、裏面にはうら表紙うら紙(３ａ)を貼り合わせる、うら表紙うら紙(３ａ)に表装を施すのも可能である、該うら表紙うら紙(３ａ)は２枚重ねの内紙(４)と同寸の和紙を使用する、２枚重ねの内紙(４)はうら表紙(３)よりサイズが大きく貼り合わせにより突出部(Ｔ)ができる、うら表紙(３)は裏面端部タテ方向に設けられた突出部(Ｔ)であって、該突出部(Ｔ)の表裏面のいずれかの片面に接着手段(Ｃ)が設けられ連結手段(Ｒ)とするうら表紙(３)である。但し使用する素材は上記の和紙に限定されるものではない。１例としてプラスチック、セロハン紙、画用紙等であってもよいものとする。また、接着手段(Ｃ)は両面テープ(Ｍ)の他にボンドなどでもよいものとする。
【００２３】
本考案の詳細を以下図面に従って詳しく述べる。図４に示すように前記記載２枚重ねの内紙(４)に連結手段(Ｒ)が設けられており、該２枚重ねの内紙(４)は表紙と同寸とする２枚の内紙(４ａ)で構成される、該２枚重ねの内紙(４)は内紙(４ａ)のヨコ方向に所定の距離だけズラして左右タテ方向に２つの、のり代部(Ａ１)を設け、前記左右２つの、のり代部(Ａ１)の間に袋綴じ部(４ｂ)が設けられ、その内部にスペース(Ｓ)を備え、左右２つの、のり代部(Ａ１)少なくとも片方に接着手段(Ｃ)が設けられ連結手段(Ｒ)とする２枚重ねの内紙(４)である。２枚重ねの内紙(４)及びうら表紙(３)の、のり代部(Ａ１)に設けられた接着手段(Ｃ)のタテ方向の端部に折目(Ｄ)が設けられており、前記内紙(４ａ)の、のり代部(Ａ１)表面で他方の内紙(４ａ)の、のり代部(Ａ１)よって隠ぺいされる箇所に表示部(Ｊ)が設けられることにより的確に使用面が判る。１例として両面テープ(Ｍ)の剥離紙の表面におもて表紙(２)と、うら表紙(３)と、２枚重ねの内紙(４)の組立を正しくするため２枚重ねの内紙(４)の使用枚数は偶数枚数であることを必要とする。奇数枚数であると、おもて表紙(２)うら表紙(３)のいずれかが裏返しになり使用しづらいものとなる。また、表示部(Ｊ)をイラスト用に２枚重ねの内紙(４)の隠ぺいされない所定の位置に設けてもよいものとする。的確に使用面が判る様に２枚重ねの内紙(４)の所定の箇所に表示部(Ｊ)を設けると、隠ぺいされることなく使い勝手が向上する。
【００２４】
本考案の詳細を以下図面に従って詳しく述べる。図５に示すように(ａ)はおもて表紙(２)平面図、(ｂ)はうら表紙(３)平面図、(ｃ)は２枚重ねの内紙(４)平面図、各々の拡大平面図である。
【００２５】
本考案の詳細を以下図面に従って詳しく述べる。図６に示すようにおもて表紙(３)、２枚重ねの内紙(４)、うら表紙(３)、各パーツ(Ｐ)の連結する前の状態を示す説明図である。
【００２６】
本考案の詳細を以下図面に従って詳しく述べる。図７に示すようにおもて表紙(３)、２枚重ねの内紙(４)、うら表紙(３)、各パーツ(Ｐ)の連結した完成図である。              
【００２７】
また、連結完成後ジャバラ折り(１ａ)手段は、２枚重ねの内紙(４)の、のり代部(Ａ１)脇に  折目(Ｄ)を付けておき、両面テープ(Ｍ)と、のり代部(Ａ１)を貼りつなぎ合わせ、折目(Ｄ)を山折り、谷折りに折り、ジャバラ折り部(１ａ)形式にしたジャバラ式収集帳(１)であって、２枚重ねの内紙(４)は枚数に制限が無く自由につなぎ合せることができることを特徴としている。ただし、前記２枚重ねの内紙(４)は偶数枚数であることを必要とする。奇数枚数であると、おもて表紙(２)うら表紙(３)のいずれかが裏返しになり見た目の外観に劣るものとなる。
右開きの場合、右におもて表紙(２)、中紙である２枚重ねの内紙(４)、左にうら表紙(３)と順次貼るとき２枚重ねの内紙(４)が奇数枚数である場合うら表紙(３)がうら返しになる。
左開きの場合、左におもて表紙(２)、中紙である２枚重ねの内紙(４)、右にうら表紙(３)と順次貼るとき２枚重ねの内紙(４)が奇数枚数である場合うら表紙(３)がうら返しになる。
しかしながら、２枚重ねの内紙(４)が奇数枚数の場合、おもて表紙(２)とうら表紙(３)はそのおもてとうらの両面に外観上適切な柄が施されている方が好適なものとなる。
【００２８】
おもて表紙(２)の連結手段(Ｒ)である挟み込み部(Ｈ)は左右どちらにも設置可能である。見開き方が反対になるが左右いずれの利き手の方にも対応でき、したがつて右開きと、左開きが可能となり大変便利である。うら表紙(３)の連結手段(Ｒ)である突出部(Ｈ)は左右いずれにも設置可能である。見開き方が反対になるが左右いずれの利き手の方にも対応でき、したがって右開きと左開きが可能になり大変便利である。また、おもて表紙うら紙(２ａ)とうら表紙うら紙(３ａ)に表装を施すことにより左右の見開きの設置が容易である。
【００２９】
前記右開きの場合はおもて表紙(２)左側に連結手段(Ｒ)である挟み込み部(Ｈ)を設け、２枚重ねの内紙(４)の右側に連結手段(Ｒ)である両面テープ(Ｍ)が貼り付けてある箇所をのり代部(Ａ１)と貼り合わせる。うら表紙(３)は右側に連結手段(Ｒ)である突出部(Ｔ)を設け、該突出部(Ｔ)を２枚重ねの内紙(４)の、のり代部(Ａ１)と貼り合わせることにより右開きとなる。                                                          
左開きの場合はおもて表紙(２)右側に連結手段(Ｒ)である挟み込み部(Ｈ)を設け、２枚重ねの内紙(４)の左側に連結手段(Ｒ)である両面テープ(Ｍ)が貼り付けてある箇所をのり代部(Ａ１)と貼り合わせる。うら表紙(３)は左側に連結手段(Ｒ)である突出部(Ｔ)を設け、該突出部(Ｔ)を２枚重ねの内紙(４)の、のり代部(Ａ１)と貼り合わせることにより左開きとなる。上記連結手段(Ｒ)に用いるもとして両面テープ(Ｍ)に限られるものではない、１例としてのり、ボンド等であってもよいものとする。
【００３０】
ジャバラ式収集帳(１)の２枚重ねの内紙(４)は両面使いが可能であり、袋綴じ部(４ｂ)に設けたスペース(Ｓ)も収納ポケットとして自由に使用でき、また、見開く時は屏風のように一列に並べられ全面目視可能となり、右開き、左開きが自在に可能となり、しかも収集したものの順番を入れかえて、自分好みの収集が記憶帳、写真帳、朱印帳など用途が多様化し利用価値が拡大する。
【産業上の利用可能性】
【００３１】
各パーツ(Ｐ)を独立したことによっておもて表紙(２)、うら表紙(３)の表紙一組と２枚重ねの内紙(４)の個別販売が可能になり、ジャバラ式収集帳(１)を自由な発想で利用できる、したがって産業上の利用価値が大きい。
【符号の説明】
【００３２】
１    ジャバラ式収集帳                                                          Ｊａ  ジャバラ折り部
２    おもて表紙
２ａ  おもて表紙うら紙                                                          ３    うら表紙
３ａ  うら表紙うら紙                                                            ４    ２枚重ねの内紙
４ａ  内紙                                                                      ４ｂ  袋綴じ部  
４ｃ  袋綴じ糊付け部
Ｄ    折目                                                                      Ａ１  のり代部
Ａ２  ２重構造ののり代部
Ｒ    連結手段
Ｃ    接着手段                                                                 Ｐ    パーツ                                                                    Ｓ    スペース                                                                  Ｈ    挟み込み部
Ｍ    両面テープ
Ｔ    突出部
Ｊ    表示部
【図１】
0003195503.tif 000003
【図２】
0003195503.tif 000004
【図３】
0003195503.tif 000005
【図４】
0003195503.tif 000006
【図５】
0003195503.tif 000007
【図６】
0003195503.tif 000008
【図７】
0003195503.tif 000009